(57)【特許請求の範囲】
【請求項１】
汚濁水の通過拡散を防止するために水中に立設される装置であって、頂部に両端面を端板で密閉封鎖して内部に空間を形成したパイプよりなる浮力体をそなえて、その下部に化学繊維あるいは合成ゴムなどよりなるカーテンを懸吊し、カーテンの下縁に重錘を付設されてなる防止幕体の複数個を順次に横方向に連結し、隣接する単体の防止幕体の間を接続チェンによって互いに連結するとともに、該防止幕体がそなえるそれぞれの浮力体の互いに対向する端板と端板との間を可撓管によって連結することにより、前記隣接する浮力体の内部空間が相互に前記可撓管を通じて流通し得る構成とされた汚濁防止装置において、前記隣接する防止幕体のそなえる浮力体を相互に連結する可撓管の各端板上における取付位置として、隣接する一方側の端板上の取付位置と、隣接する他方側の端板上の取付位置との関係位置を、浮力体の空気を排出するときの可撓管内を流れる空気の方向が水平方向を基準として下降方向となる関係位置とされる汚濁防止装置。
【発明の詳細な説明】
【０００１】
【発明の属する技術分野】
この発明は、水中汚濁の防止装置に関するもので、特定水域に対する汚濁水の通過拡散を防止するために、頂部にパイプ等よりなる浮力体をそなえ、下部に化学繊維などのカーテンを懸吊し、カーテンの下縁に重錘を付設されてなる複数組の防止幕体を用いて、これを水中に立て並べ、該水域内の水中汚濁を防止する装置に関するものである。
【０００２】
【従来の技術】
従来から行われる上記方式の汚濁防止装置としては、たとえば図５に示すものがある。すなわち、頂部に両端面を端板Ａ，Ｂで密閉封鎖したパイプよりなる浮力体Ｃをそなえて、その下部に化学繊維などよりなるカーテンＤを懸吊し、カーテンＤの下縁に重錘Ｅを付設されてなる単体の防止幕体Ｆを用意し、あるいはこれの集合体としてこれらの防止幕体Ｆ1，Ｆ2を順次に横方向に連結敷設して構成された汚濁防止装置が行われている。Ｇは標識ブイであり、Ｈは装置を水中の所望の位置に固定するための固定重錘である。
【０００３】
Ｐは給排装置で、浮力体Ｃ内の空気と水との入れ替えを自由に行うことにより、浮力体Ｃの浮力を制御して汚濁防止装置の水中の上下位置を自由に変化させることができる。Ｑは隣接する防止幕体Ｆ1，Ｆ2間を連結するチェンであり、Ｒは隣接する防止幕体Ｆ1，Ｆ2の各浮力体Ｃ，Ｃ間の内部空間を流通自在に連結している可撓管である。このように構成された汚濁防止装置を用いて所定水域内の水中汚濁を防止するには、横方向に連結された複数組の防止幕体Ｆ1，Ｆ2‥‥を用いて該領域を取り囲み、給排装置Ｐを作動して連結されたすべての浮力体Ｃ，Ｃ‥‥内の空気と水との容量比を変化させる。それによって防止幕体Ｆ1，Ｆ2‥‥の水中位置を一斉に、所望の位置に上下させることが可能である。
【０００４】
【発明が解決しようとする課題】
しかしこのような従来方式の汚濁防止装置では、海が荒れて隣接する防止幕体の間に相互間を引き離す方向の外力が作用し、その外力によって前記接続チェンが切断されて単体の防止幕体がバラバラになったとき、各単体もしくは単体の集合体が自己の浮遊能力によって勝手に流れて行き、その結果海上交通に支障を来すなどの不測事態が発生するおそれがある。
【０００５】
この発明は、前記従来の不具合点を解消するためになされたもので、たとえば汚濁防止装置を構成する各単体間の接続チェンが荒天の波浪によって切断され、そのため各防止幕体がバラバラになって浮遊するなどの事態が生じたとき、いつまでも温存されて消滅しない自己の浮遊能力によって各単体の防止幕体が勝手に流れて行き、その結果海上交通に支障を来すなどの事態発生の恐れがあるが、このように単体間の接続チェンに切断が生じたときには、必ず各防止幕体の温存する浮遊能力を消滅させ、防止幕体を早期に現在位置付近で水底に向かって沈下させるようにし、それによって海上交通に支障を生じるなどの事故の発生を未然に防止することのできる汚濁防止装置を提供することを目的としている。
【０００６】
【課題を解決するための手段】
上記の目的を達成するために、この発明にかかる汚濁防止装置は、汚濁水の通過拡散を防止するために水中に立設される装置であって、頂部に両端面を端板で密閉封鎖して内部に空間を形成したパイプよりなる浮力体をそなえて、その下部に化学繊維あるいは合成ゴムなどよりなるカーテンを懸吊し、カーテンの下縁に重錘を付設されてなる防止幕体の複数個を順次に横方向に連結し、隣接する単体の防止幕体の間を接続チェンによって互いに連結するとともに、該防止幕体がそなえるそれぞれの浮力体の互いに対向する端板と端板との間を可撓管によって連結することにより、前記隣接する浮力体の内部空間が相互に前記可撓管を通じて流通し得る構成とされた汚濁防止装置において、前記可撓管の両端を、対向する端板上に取り付けるときの取付位置として、隣接する一方側の端板上の取付位置と、隣接する他方側の端板上の取付位置との関係位置を、浮力体の空気を排出するときの可撓管内を流れる空気の方向が水平方向を基準として下降方向となる関係位置になるように配置しておくと、浮力体の内部空間を充たす水または空気の入れ替えを行うとき、内部空間の一端側に設けた給排装置を稼動して系列全体の内容の入れ替えを行うに際し、たとえば内部空間の一端側に設けた給排装置を稼動して系列内の空気を排出すると、他端側から水を吸引して順次に浮力体が水で充たされて行く。このとき浮力体は他端側の浮力体から順番に水で充たされて沈降して行くので、互いに対向する端板と端板との間を連結する可撓管内の空気の流れ方向が下降方向となるように配置されると、各浮力体はその上端から空気が排出されることになり、各浮力体の内部に残留する空気の量を極少に抑えることができる。
【００１０】
反対に、前記給排装置を稼動して給排装置の側から系列内に空気を押し込むと、系列内を充たしていた水は他端側から排出され、各浮力体は給排装置に一番近い側から順番に水と空気との入れ替えが行われて行く。このとき浮力体は給排装置に一番近い側から順番に水が押し出されて空気で充たされて浮き上がって行くので、前記の可撓管両端の取付位置の関係を、浮力体の空気を排出するときの可撓管内の空気の流れ方向が下降方向となる関係位置とされている構成、言い換えると浮力体の水を排出するときの可撓管内の水の流れ方向が水平方向を基準として上昇方向となる関係位置となっているので、そのため浮力体の底部に残留する水の量を極少に抑えることができる。
【００１１】
【発明の実施の形態】
以下、本発明の実施例について図面に基づき詳細に説明する。図１はこの発明装置の一実施例を示し、単体の防止幕体１は、頂部に浮力体２をそなえ、下部に化学繊維などよりなるカーテン３を懸吊し、カーテン３の下縁に多数の重錘４が付設されてカーテンを鉛直に保持している。浮力体２は両端面を端板５および６で密閉封鎖したパイプよりなる。一般に特定領域の水域に対して汚濁防止作業を行うには、前記の構成よりなる防止幕体１の複数組を用意し、これらを順次に横方向に立て並べて連結し、該水域を取り囲んだ状態としてその中の水中汚濁を防止する方法が行われる。７は、このようにして隣接する防止幕体１，１を互いに連結するために、浮力体２の端板５，６を利用してその間に架け渡したチェンである。
【００１２】
８は、浮力体２内の空気と水との入れ替えを自由に行う給排装置としてのポンプで、浮力体２の一方の端板５の上端部とポンプ８との間を可撓管９によって連結することにより、ポンプ８を稼動して浮力体２内の空気と水との入れ替えを自由に行うことができる。同様にして、隣接するすべての防止幕体のそなえる浮力体２，２の互いに対向する端板５，６に対し、端板５の上端部と端板６の下端部との間を可撓管１０によって段違いに連結することにより、ポンプ８の稼動ならびにこれに付属する切換弁１１の操作によって、汚濁防止装置を構成するすべての防止幕体１，１‥‥に対して浮力体２内の空気と水との入れ替えを自由に、しかもきわめて能率よく行うことができる。
【００１３】
可撓管１０は、隣接する防止幕体間のチェン７が何らかの外力によって切断される事態が発生したとき、それに応じて引き続いての切断が生じる範囲内の強度をそなえる構成とされている。簡単に言うと、たとえば荒天時の波浪によってチェン７が切断され、そのため各防止幕体がバラバラになって浮遊するなどの事態が生じるおそれのあるとき、それに応じて可撓管１０にも切断が生じる程度の脆弱さをそなえる構成とされている。また可撓管１０の長さは、チェン７の長さに近い長さとしておくことが望ましい。可撓管１０が切断すれば、その結果、汚濁防止装置を構成するすべての防止幕体１の浮力体２は外部と自由に流通できる状態となって、自己の保有する浮上能力を失い、その結果すべての防止幕体１は現在位置付近で水底に沈下することになる。したがってバラバラになった防止幕体１が単体もしくは集合体の状態で水上を勝手に浮遊したり、その結果海上交通に支障を来すなどの事故の発生を未然に防止することができる。
【００１４】
このように構成された汚濁防止装置を用いて所定水域内の水中汚濁を防止するには、横方向に連結された複数組の防止幕体１，１‥‥を用いて該領域を取り囲み、ポンプ８を作動して連結されたすべての浮力体２，２‥‥内の空気と水との容量を制御することによって、装置全体の姿勢、たとえば装置の浮沈、あるいは喫水の度合い、傾斜度などを自由に変化させる。それによって装置全体の水中位置を一斉に、所望の位置に上下させることが可能である。
【００１５】
本装置によって全体の浮沈操作を行うに際し、高効率の作用を行わせるための実施態様を、図３および図４によって詳しく説明する。図３は、４組の防止幕体よりなる汚濁防止装置について、それぞれの浮力体２のみを図示してその浮沈の経過を(ａ)〜(ｆ)図によって示したものである。(ａ)図は全装置の浮力体２がいずれも空気に充たされ、水面上に浮上している状態を示す。(ｂ)図は、ポンプ８を稼動して全装置の浮力体２から空気の排除が始まった状態を示す。このとき、ポンプ８から最も遠い浮力体２は、空気と水との置換が行われ、浮力体２の姿勢が右が浮いて左が沈下した状態となる。したがってこの浮力体２の残存空気１２は、可撓管１０の一方の管端から可撓管１０を通ってつぎの浮力体に流入する。このとき可撓管１０の一方の管端と他方の管端との各端板５，６上における取付位置の配置が、前記残存空気１２の流れ方向、すなわち可撓管１０の一方の管端から可撓管１０を通ってつぎの浮力体の端板６上の他方の管端に流入するのに適した下降方向と一致した配置とされているので、以下の(ｃ)図〜(ｆ)図からも明らかなように、空気と水との入替操作が連続してきわめて簡単容易に、しかも短時間のうちに行われ、残存空気１２の量を極少に抑えて高効率の作業を実施することができる。
【００１６】
図４は、図３とは反対に、全装置の浮力体２が、(ａ)図ではいずれも水に充たされて水面下に水没している状態を示す。(ｂ)図は、ポンプ８を稼動して全装置の浮力体２に対し、空気を送給するとともに、浮力体２を充たしている水の排除が始まった状態を示す。すなわち(ｂ)図では、ポンプ８から圧送された空気が浮力体２の右端上方に入り、内部の残存水１３が次第に左端下方に向かって押し出され、可撓管１０からつぎの浮力体に向かって流入する状態が示される。(ｃ)図では、ポンプ８に最も近い浮力体２の内部は、残存水１３が殆ど下流側に排出され尽くして内部が殆ど空気によって充たされた状態にある。このときのポンプ８に最も近い浮力体２の姿勢は、図示のように右が浮いて左が沈下した状態となり、それの左側に隣接する浮力体２の姿勢も、右端が右側の浮力体２に吊り上げられた状態となって、同様に右が浮いて左が沈下した状態となっている。したがって可撓管１０を通って隣接する浮力体２に送り込まれる残存水１３は、図３の作用に関して説明したのと同様の理由により、可撓管１０の両端取付位置の関係配置が、可撓管内の水が上昇の方向に流れる配置となるように段違いに連結されているので、以下の(ｄ)図〜(ｆ)図からも明らかなように、浮力体の底部に残留する水の量を極少に抑えて高効率の作業を実施することができる。
【００１７】
【発明の効果】
この発明にかかる汚濁防止装置は以上のように構成されるので、つぎのようなすぐれた効果がある。
【００２０】
浮力体の浮沈操作を行うとき、または緊急事態として各単体間の接続チェンの切断が生じ、それに対応して各防止幕体の浮遊能力を自動的に喪失させ、その場で沈下させるとき、浮力体ごとに浮力体の形状に起因して生じる隅角部の水または空気の残留量を極少に抑えることを可能とし、それによって操作の一層の速度向上と高能率化が促進される。
【図面の簡単な説明】
【図１】この発明装置の一実施例の要部を示す正面図である。
【図２】図２(ａ)は図１のａ−ａ線に沿って切断した断面図である。
同(ｂ)は、図１のｂ−ｂ線に沿って切断した断面図である。
【図３】この発明装置の作用態様の一方の変化を経時的に示す説明図である。
【図４】この発明装置の作用態様の他方の変化を経時的に示す説明図である。
【図５】従来装置の斜視図である。
【符号の説明】
１    防止幕体
２    浮力体
３    カーテン
４    重錘
５，６    端板
７    チェン
８    ポンプ
９，１０    可撓管
１１    切換弁
【図１】
0003993705.tif 000002
【図２】
0003993705.tif 000003
【図３】
0003993705.tif 000004
【図４】
0003993705.tif 000005
【図５】
0003993705.tif 000006